(57)【要約】本発明は、複数の通信装置（１、２、５〜８）から成るネットワークのオペレーティング方法に係り、特に、ブルートゥース装置間のアドホックネットワークのオペレーティング方法に関する。関連する装置の装置アドレスが記憶されたトークン（３、９〜１２、１５）が複数の通信装置（１、２、５〜８）に割り当てられる。少なくとも１つの通信装置が、トークン（３、９〜１２、１５）に記憶された第一の通信装置（１）の装置アドレスを読み出すためのトークン・リード装置（４、１３、１４）として用いられる。トークン・リード装置（４、１３、１４）は、装置アドレスを用いて第一の通信装置（１）と接続を確立するか、及び／又は、装置アドレスを少なくとも第二の通信装置（２）へ送信する。すると、第二の通信装置（２）は、第一の通信装置（１）と接続を確立することができる。
2005530401.tif 000002
【特許請求の範囲】
【請求項１】
装置アドレスを用いて通信装置を識別するトークンをそれぞれが有する複数の通信装置とトークン・リード装置として用いられる少なくとも１つの通信装置との間のネットワークのオペレーティング方法であって、
前記トークンに記憶された第一の通信装置の装置アドレスは、前記トークン・リード装置によって読み出され、
前記トークン・リード装置は、前記装置アドレスを用いて前記第一の通信装置との接続を確立するか、及び／又は、該装置アドレスを少なくとも第二の通信装置へ送信し、該第二の通信装置が前記第一の通信装置との接続を確立する、ことを特徴とする方法。
【請求項２】
請求項１記載の方法であって、
前記ネットワークは、ブルートゥース規格に準拠して作動するネットワークである、ことを特徴とする方法。
【請求項３】
請求項２記載の方法であって、
少なくとも前記トークン・リード装置及び前記第一の通信装置がピコネットワークを形成する、ことを特徴とする方法。
【請求項４】
請求項２記載の方法であって、
前記ネットワークにおいて、前記トークン・リード装置がマスタ機能を遂行し、別の通信装置がスレイブ機能を遂行する、ことを特徴とする方法。
【請求項５】
請求項１記載の方法であって、
前記トークンに記憶されたパスワードが、前記トークン・リード装置によって読み出される、ことを特徴とする方法。
【請求項６】
請求項１記載の方法であって、
前記トークン・リード装置は所定数の前記トークンを収容する、ことを特徴とする方法。
【請求項７】
請求項１記載の方法であって、
前記トークンは、ネットワーク・リソースに関する情報を有する、ことを特徴とする方法。
【請求項８】
請求項１記載の方法であって、
前記トークンは、文書リリースに関する情報を有する、ことを特徴とする方法。
【請求項９】
請求項１記載の方法であって、
複数の前記トークンが１つの通信装置に割り当てられ、
前記複数のトークンの各々にトークン識別番号（トークンＩＤ）が割り当てられる、ことを特徴とする方法。
【請求項１０】
請求項９記載の方法であって、
前記トークン識別番号と文書リストを識別する名前（リストＩＤ）との割当がスレイブとして動作する１つの通信装置に記憶される、ことを特徴とする方法。
【請求項１１】
請求項１０記載の方法であって、
前記文書リストは、文書識別ユニット（ファイルＩＤ）と、該文書識別ユニットに割り当てられたパスとから成る、ことを特徴とする方法。
【請求項１２】
請求項９記載の方法であって、
マスタとして動作する通信装置は、装置アドレスとトークンＩＤとから成る割当を記憶する、ことを特徴とする方法。
【請求項１３】
請求項９記載の方法であって、
前記スレイブとして動作する通信装置は、前記トークン識別番号と、前記マスタとして動作する通信装置の装置アドレスとの割当を記憶する、ことを特徴とする方法。
【請求項１４】
装置アドレスを用いて通信装置を識別するトークンをそれぞれが有する複数の通信装置とトークン・リード装置として用いられる少なくとも１つの通信装置とを有する通信システムであって、
前記トークン・リード装置は、前記トークンに記憶された第一の通信装置の前記装置アドレスを読み出し、
前記トークン・リード装置は、
前記装置アドレスを用いて前記第一の通信装置との接続を確立するか、及び／又は、
前記装置アドレスを少なくとも第二の通信装置へ送信し、該第二の通信装置が前記第一の通信装置との接続を確立する、ことを特徴とする通信システム。
【発明の詳細な説明】
【技術分野】
【０００１】
本発明は、複数の通信装置間のネットワークをオペレートする方法に係り、特に、ブルートゥース装置間のアドホックネットワークをオペレートする方法に関する。
【背景技術】
【０００２】
例えばブルートゥースなどのワイヤレス伝送技術は、事前の構成を一切必要とせずに、モバイル装置に自発的にネットワークを形成させることができる。このようなネットワークは、アドホックネットワークと呼ばれる。ブルートゥース・アドホックネットワークの装置は、ネットワーク内において、任意的に、マスタ（ｍａｓｔｅｒ）又はスレイブ（ｓｌａｖｅ）として機能する。マスタとして機能する装置は、そのネットワーク内の通信全体を調整し、複数のスレイブを管理する。マスタ装置は、複数のスレイブと同時に接続を維持することができるため、そのネットワークを星型ネットトポロジィとすることができる。
【０００３】
マスタとスレイブとの間のワイヤレス接続は、ブルートゥース規格によって実現される。ブルートゥース規格において、様々な電子装置は、データの送受信を可能とするために１対１接続又は１対複数接続を構築することができる。ブルートゥース規格は、無線周波数レンジにおける帯域幅が大きいことを特徴とする。マスタによる調整機能及び管理機能無しでは適正に実行することができない照会（ｉｎｑｕｉｒｙ）オペレーション及び呼出（ｐａｇｅ）オペレーションの助けを借りて、複数のブルートゥース装置間に接続が確立される。照会オペレーションは、遠隔装置の装置アドレスを判断するために実行される。遠隔装置の装置アドレスがわかると、呼出オペレーションを用いてその遠隔装置との通信接続を確立することができる。
【０００４】
非特許文献１は、ピコネットワーク（ｐｉｃｏｎｅｔｗｏｒｋ）の構成、特に接続確立、について記載している。各ピコネットワークには１つのマスタが存在し、そのピコネットワークの他のすべての装置はスレイブである。１つのピコネットワークのすべての装置は、マスタを経由して互いに通信できる。
【非特許文献１】Ｐｒｏｆ．Ｄｒ．Ｊｏｒｇ  Ｗｏｌｌｅｒｔ、「Ｂｌｕｅｔｏｏｔｈ  ａｋｔｕｅｌｌ  −  Ｔｅｃｈｎｉｋ  ｕｎｄ  Ａｎｗｅｎｄｕｎｇｅｎ」、Ｅｌｅｋｔｒｏｎｉｋ  ２０／２００１、７６〜８１頁
【発明の開示】
【発明が解決しようとする課題】
【０００５】
１つの装置は複数のピコネットワークに同時に存在することも可能であるが、マスタ機能は１つのピコネットワークでしかなることができない。さらに、ブルートゥース規格を用いる際の根本的問題がこの非特許文献から明らかである。ある装置がピコネットワークに接続していないとき、その装置自体が又はマスタが、該マスタとの接続を確立するために照会オペレーション及び呼出オペレーションを開始しなければならない。
【０００６】
ピコネットワークの構成を一例を挙げて説明する。ブルートゥース装置（ＢＧ１）は、最初に、照会オペレーションから成るいわゆる機器探索（ｄｅｖｉｃｅ  ｄｉｓｃｏｖｅｒｙ）を実行する。この機器探索の結果は、ＢＧ１の近傍で到達可能なすべてのブルートゥース装置（ＢＧ２、・・・、ＢＧｎ）の装置アドレス（ＧＡ２、・・・、ＧＡｎ）を備えたリストである。次いで、ピコネットワークが構築される。すなわち、まずＢＧ１が呼出オペレーションを用いてＢＧ２と接続を確立する。ＢＧ２は、その装置アドレスＧＡ２によって明白に識別される。結果、ＢＧ１とＢＧ２とから成るピコネットワークとなる。このように、この例では、ＢＧ１がこのピコネットワークのマスタであり、ＢＧ２がスレイブである。次いで、ＢＧ１は残りの装置ＢＧ３、・・・、ＢＧｎと連続した接続を確立し、ピコネットワークが徐々に拡大される。
【０００７】
ブルートゥース規格は、ある装置がどのようにしたら別の装置と接続を確立することができるかについて規定している。しかし、誰が、いつ、誰との接続確立を試みるべきかについては決めていない。よって、接続確立は、ユーザ又は装置プログラムのいずれかによって開始される。
【０００８】
その結果、複数のユーザが同時に他の装置を探索し、ピコネットワークを確立しようと試みる状況も容易に起こり得る。これは、複数の理由により、問題である。例えば、機器探索（装置照会）を同時に実行する装置はお互いを発見することができない。状況によっては、このような機器探索は不完全な結果しかもたらさない。なぜなら、機器探索には、通常、３０〜６０秒掛かるからである。
【０００９】
大きなピコネットワークの代わりに、多くの小さいピコネットワークが作られてもよい。その場合、それらネットワークは、複数のマスタ／スレイブ交換オペレーションによって、１つの共通したピコネットワークへと精巧に変換されなければならない。
【００１０】
有線ネットワークのユーザは装置を接続するケーブルをトラッキングすることによって容易に認識できるのに対し、ワイヤレス・ネットワークにおいては、それは、ネットワーク・トポロジィを視覚化するプログラムを用いることによってのみ可能となる。電波は壁を通り抜けるため、隣りの部屋の装置が不注意で気が付かずにピコネットワーク内に取り込まれ、セキュリティ・リスクが生じることが容易に発生し得る。
【００１１】
よって、ピコネットワークの確立は、経験の浅いユーザには複雑なプロセスであり、すべてのユーザにマッチした手順が必要とされている。さらに、今日のブルートゥース装置では、ユーザは該装置内に記憶されたデータの特別なピコネットワークへのリリースを制限できない。
【００１２】
本発明の目的は、複雑でない接続確立が行われるブルートゥース装置間でのアドホックネットワークのオペレーティング方法を提供することである。
【課題を解決するための手段】
【００１３】
上記目的は、装置アドレスを通じて通信装置を識別するトークン（ｔｏｋｅｎ）が複数の通信装置に割り当てられ、少なくとも１つの通信装置がトークン・リード（ｔｏｋｅｎ  ｒｅａｄ）装置として機能する、冒頭段落に記載された種類の方法であって、トークンに記憶された第一の通信装置の装置アドレスがトークン・リード装置によって読み出され、トークン・リード装置が、装置アドレスを用いて第一の通信装置と接続を確立するか、及び／又は、装置アドレスを少なくとも第二の通信装置へ送信し、第二の通信装置が第一の通信装置と接続を確立する、方法によって解決される。
【００１４】
通信装置の装置アドレスをリード・オンリ・メモリに記憶したトークンは、各通信装置に割り当てられる。トークン・リード装置は、各トークンを読むことができる。読み出された装置アドレスは、第二の通信装置へ送られるか、及び／又は、トークン・リード装置自体がその装置アドレスを用いて通信装置との接続を確立する。トークンを読むためには、トークンが、トークン・リード装置の近傍に持ち込まれるか、或いは、トークン・リード装置内に挿入されて、接続が切断されるまで留まる必要がある。接続を切断するためには、ユーザはトークンをトークン・リード装置から取り除けばよい。
【００１５】
この解決策は、非常に有益的である。なぜなら、ユーザがトークンをトークン・リード装置内へ挿入することにより容易に接続確立を開始することができると共に、ユーザがトークンをトークン・リード装置内から取り除くことによって容易に接続切断を開始することができるため、非常に高速で、且つ、ユーザ・フレンドリだからである。
【００１６】
トークン・リード装置は、例えばホルダ形などの形状であり、例えばコイン形やペン形などの形状のトークンを収容する。
【００１７】
このホルダは、所定数のトークンだけを収容可能なように、構成することもできる。これにより、最大同時接続数を制御することができる。例えば、いつでも１人のユーザしか使用できないプロジェクタは、正確に１つのトークンしか収容できないトークン・ホルダを持つようにすることができる。装置アドレスの記憶及び読み出しは、例えばＲＦＩＤ技術などを用いて、実現することができる。
【００１８】
従属項は、本発明の有益的な改良を定義する。
【００１９】
請求項２記載の実施形態は、特に、ブルートゥース装置と呼ばれるブルートゥース規格に準拠して動作する通信装置に関する。トークン及び適切なトークン・リード装置を用いることによって、それ以外の従来のブルートゥース装置の機器探索はもはや必要ない。なぜなら、トークンから装置アドレスを直接読み出すことができるからである。
【００２０】
トークン・リード装置が第一のブルートゥース装置と接続を確立すると、両ブルートゥース装置は、トークン・リード装置がマスタ機能を実行し、第一のブルートゥース装置がスレイブ機能を実行するピコネットワークを構成する。別のブルートゥース装置は、それらのトークンがトークン・リード装置内に挿入され、トークン・リード装置がそれらとの接続を確立すれば、スレイブとしてこのピコネットワークのメンバになることができる。
【００２１】
このように、トークン・リード装置のコンテンツは、常に、ピコネットワークの組み立てを反映し、このように該ネットワークの実際のネットワーク・トポロジィを視覚化する。
【００２２】
セキュリティ上の理由により、接続確立にはトークンに記憶されたパスワードが要求されるようにしてもよい。加えて、使用されるリソースに関する情報がトークンに記憶されてもよい。このような情報は、例えば、所定のプリンタによって公開される印刷用文書や、プロジェクタによって表示される記憶されたプレゼンテーションなどの文書への電子パスであってもよい。
【００２３】
複数のトークンが同じ装置アドレスを記憶するようにして、複数のトークンを１つのブルートゥース装置に割り当てることもできる。その際、トークンは、複数のトークン・リード装置に分配される。その結果、スレイブとして動作するブルートゥース装置は、複数のピコネットワークにおいて同時に表されることができる。
【００２４】
ピコネットワークのメンバが読むためにリリースされる所定量の文書を各トークンに追加的に割り当てることを可能とするために、各トークンはトークン識別番号（トークンＩＤ）を有する。装置アドレスに加えて、各トークンはすべての装置についてその明白なトークンＩＤを記憶する。複数のトークンを備えたブルートゥース装置は、トークンＩＤを参照して、各トークンに様々な文書を割り当てることができる。
【００２５】
各ブルートゥース装置は、トークンＩＤと、読みためにリリースされ、このトークンに割り当てられたこれら文書のリスト名との間の割当を記憶する。
【００２６】
リリースされた文書のリストは、ファイルされた文書名（ファイルＩＤ）と、各ファイルＩＤに関連付けられた物理的パスとから成る。トークンをトークン・リード装置内に挿入すると、装置アドレスだけでなくトークンＩＤも読み出される。
【００２７】
ピコネットワークにおいてマスタとして動作するブルートゥース装置は、装置アドレスとトークンＩＤとの割当の表を記憶する。マスタとして動作するブルートゥース装置は、装置アドレスを用いて、スレイブとして動作するブルートゥース装置と接続することができ、この装置に対応するトークンＩＤを知らせることができる。
【００２８】
スレイブとして動作するブルートゥース装置は、関連付けられたトークンＩＤと、対応するトークンが存在するマスタとして動作するブルートゥース装置の装置アドレスとを含む表を記憶する。
【発明を実施するための最良の形態】
【００２９】
以下に説明する実施形態を参照して、本発明の上記及び他の態様を明らかにする。
【実施例】
【００３０】
図１は、２つのブルートゥース装置１及び２を示す。ブルートゥース装置は、例えば、携帯電話、ノートブック、ＰＤＡ、キャッシュレジスタ、アクセス制御デバイス、又は、マルチメディア・キオスク、などのモバイル通信装置又は固定通信装置である。例えばペン形のトークン３が第一のブルートゥース装置１に割り当てられる。トークンは、常に、１つのモバイル・ブルートゥース装置だけに割り当てられる。トークン３は、ブルートゥース装置１の装置アドレスが記憶されたリード・オンリ・メモリを有する。
【００３１】
第二のブルートゥース装置２は、トークン・リード装置４と通信する。トークン・リード装置４は、ホルダ形であり、トークンを収容することができ、記憶された装置アドレスを読み出してブルートゥース装置２へ渡す。
【００３２】
例えば携帯電話であるブルートゥース装置１のユーザがブルートゥース装置１をブルートゥース装置２へ接続させたいものとする。ここで、ブルートゥース装置２は、例えば該携帯電話によって更新されるべきアドレス帳ファイルなどのデータを持つＰＣである。このため、ユーザは、トークン３をトークン・リード装置４内へ挿入する。トークン・リード装置４は、携帯電話の装置アドレスを読み出し、ＰＣへ送る。ＰＣは、その装置アドレスを用いて、携帯電話と接続を確立することができる。
【００３３】
図２は、互いに通信する２つのブルートゥース装置１及び２を示す。ブルートゥース装置１のトークン３は、トークン・リード装置４に存在する。ブルートゥース装置１及び２は、（図２及びそれ以降の図において双方向矢印で示された）ワイヤレス接続を通じて、データを交換する。
【００３４】
図３〜５は、マスタを備えたピコネットワークの確立を実演している。以下の図面における同一の又は対応する要素及び部品は同じ符号によって示される。
【００３５】
図３は、接続確立後にピコネットワークにおいてスレイブの役割を持つためにスレイブ５〜８として示された４つのブルートゥース装置を示す。トークン９〜１２は、各スレイブ５〜８に割り当てられる。各トークン９〜１２は、各トークン９〜１２に割り当てられたスレイブ５〜８の装置アドレスと追加的情報とを記憶するリード・オンリ・メモリを有する。追加的情報とは、例えば、トークンＩＤや、電子文書を参照する電子パスなどである。スレイブ５〜８は、トークンＩＤを用いて、そのトークン９〜１２を識別することができる。
【００３６】
さらに、トークン・リード装置として作動するブルートゥース装置が図示されている。トークン・リード装置は、ホルダの形をしており、接続確立後はマスタの役割を遂行するため、マスタ１３として示されている。
【００３７】
スレイブ５〜８とマスタ１３とは相互接続を持っていない。トークン９〜１２は、個々のスレイブ５〜８の近傍に位置する。
【００３８】
図４は、スレイブ５〜８及びそれらのトークンと、マスタ１３とを示す。スレイブ５のトークン９が、マスタ１３のホルダ内に存在する。
【００３９】
スレイブ５のユーザがマスタ１３と接続を確立させたいものとする。このため，彼はスレイブ５に割り当てられたトークン９をマスタ１３のホルダ内へ挿入する。トークン９が挿入されると、マスタ１３のホルダに内蔵されたリーダが、トークン９に記憶されたスレイブ５の装置アドレスを含むデータ・ファイルを読み出す。マスタ１３はこの装置アドレスを用いてスレイブ５との接続を確立する。結果として、マスタ１３とスレイブ５とから成るピコネットワークが得られる。
【００４０】
図５は、再び、スレイブ５〜８及びそれらのトークン９〜１２と、マスタ１３とを示す。すべてのトークン９〜１２が、マスタ１３のホルダ内に存在する。
【００４１】
スレイブ６〜８のユーザがマスタ１３との接続を確立させてピコネットワーク内のノードとして通信に参加したいものとする。このため、各ユーザは関連するトークン１０〜１１をマスタ１３のホルダに挿入する。トークン１０〜１２がマスタ１３に挿入されると、リーダが、トークン１０〜１２に記憶された対応する装置アドレスを含むデータ・ファイルを読み出し、その装置アドレスに対応したスレイブ６〜８と接続を確立することができる。
【００４２】
マスタ１３がすべての装置アドレスを読み出し、各スレイブ５〜８と接続を確立すると、スレイブ５〜８とマスタ１３とを備えたピコネットワークが星形トポロジィとして作られる。このピコネットワークの組み立ては、再度、ホルダのコンテンツに反映される。
【００４３】
図６及び７は、それぞれがマスタと複数のスレイブとを備えた２つのピコネットワークの確立を示す。図３〜５を参照した説明を参照し、以下では異なる点だけを説明する。
【００４４】
この実施形態においては、トークン９に加えて、トークン１５が、スレイブ５に割り当てられる。別のトークン・リード装置がマスタの役割を担うため、マスタ１４として示されている。
【００４５】
図６に示すマスタ１３及び１４は、トークンを１つも有しておらず、結果として、スレイブ５〜８は、マスタ１３及び１４のいずれとも接続されていない。
【００４６】
マスタ１３及び１４との接続を確立するために、スレイブ５のユーザはトークン９をマスタ１３に、トークン１５をマスタ１４にそれぞれ挿入する。両マスタは、個々のトークン１３及び１５に記憶されたスレイブ５の装置アドレスを読み出し、それぞれスレイブ５との接続を確立する。
【００４７】
同じように、スレイブ６及び８のユーザは、トークン１０及び１２をマスタ１４のホルダ内へ挿入し、マスタ１４はスレイブ６及び８と接続を確立する。スレイブ７のトークン１１はマスタ１３のホルダ内に置かれる。マスタ１３は、スレイブ７の装置アドレスを読み出し、スレイブ７と接続を確立する。
【００４８】
図７は、スレイブ５とマスタ１３とから成る第一のピコネットワークを示す。トークン１１及び９は、マスタ１３内に存在する。第二のピコネットワークは、スレイブ５、６、及び８と、関連するマスタ１４とから成る。トークン１０、１２、及び１５は、マスタ１４内に存在する。
【００４９】
マスタ１３は、スレイブ５及び７と通信する。マスタ１４は、スレイブ５、６、及び８と通信を確立する。スレイブ５は、マスタ１３及びマスタ１４の双方と通信することができる。
【００５０】
スレイブ５のユーザは、様々なユーザが読む様々な文書をリリースすることができるように、２つのトークン９及び１５を有する。所定量の文書が各トークンに正確に割り当てられる。ユーザは、例えば、２つの文書Ｄ１及びＤ２をトークン９へ割り当て、文書Ｄ３をトークン１５へ割り当てる、ことができる。彼がトークン９をマスタ１３のホルダ内へ挿入し、トークン１５をマスタ１４のホルダ内に挿入すると、第一のピコネットワークのスレイブ７及びマスタ１３は文書Ｄ１及びＤ２を読み出すことができる。第二のピコネットワークのスレイブ６及び８及びマスタ１４は、スレイブ５の文書Ｄ３を読み出すことができる。
【００５１】
文書のリリース及びそれに基づいたピコネットワークのデータ構造について、以下に第一のピコネットワークを参照して説明する。
【００５２】
スレイブ５が装置アドレス「０１  ０２  ０３  ０４  ０５  ０６」を有し、スレイブ７が装置アドレス「０Ａ  ０Ｂ  ０Ｃ  ０Ｄ  ０Ｅ  ０Ｆ」によって明確に識別され、マスタ１３が装置アドレス「１２  １３  １４  １５  １６  １７」を有し、マスタ１４が装置アドレス「２１  ２３  ４３  ２１  １２  ４５」を有するものとする。スレイブ５のトークン１５及び９とスレイブ７のトークン１１とは、すべての装置の明白なトークンＩＤを有する。各トークン１５及び９は、装置アドレスだけでなく、そのトークンＩＤも記憶する。トークン９がトークンＩＤ「０１  ０２  ０６」を有し、トークン１５がトークンＩＤ「０３  ０５  ０７」を有し、トークン１１がトークンＩＤ「２１  ２２  １６」を有するものとする。下の表は、スレイブ５のトークン９の明白な割当を示す。この表はトークン９に記憶される。
【００５３】
【表１】
2005530401.tif 000003
各スレイブ５及び７は、トークンＩＤと、このトークンに割り当てられ、読み出されるためにリリースされる文書のリストを特徴付ける識別番号リストとの間の割当を有する。スレイブ５のトークン９及び１５について、その割当を下の表に示す。この表は、スレイブ５に記憶される。
【００５４】
【表２】
2005530401.tif 000004
複数のリストＩＤが１つのトークンＩＤに割り当てられてもよい。リリースされる文書のリストは、エントリごとに、文書識別ユニット（ファイルＩＤ）と、物理的パスとから成る。下の表は、リストＩＤ＝１のリストを示す。
【００５５】
【表３】
2005530401.tif 000005
トークン９をマスタ１３のホルダ内に挿入すると、装置アドレスだけでなく、トークンＩＤも読み出される。
【００５６】
マスタ１３は、スレイブ５及び７について、装置アドレスとトークンＩＤとの割当の表をセットアップする。下の表は、そのような割当を示す。この表は、マスタ１３に記憶される。
【００５７】
【表４】
2005530401.tif 000006
マスタ１３は、以上のようにして、装置アドレスを参照して、対応するスレイブ５及び７と接続を確立する。マスタ１３は、トークン９のトークンＩＤをスレイブ５に通知する。同じように、マスタ１３は、スレイブ７にトークン１１のトークンＩＤを通知する。
【００５８】
すると、スレイブ５は、トークンＩＤとマスタ１３の装置アドレスとの表をセットアップする。この表は、スレイブ５に記憶される。
【００５９】
【表５】
2005530401.tif 000007
この表は、更に、同じようにマスタ１４からスレイブ５へマスタ１４の装置アドレスと共に送信されたトークン１５のトークンＩＤも有する。
【００６０】
マスタ１３とスレイブ５及び７との間の通信は、ＧｅｔＦｉｌｅＬｉｓｔ（トークンＩＤ）方法やＧｅｔＦｉｌｅ（トークンＩＤ、ファイルＩＤ）方法などのスレイブ６及び７において実施されるソフトウェア・プログラム部分によって開始される。照会（ｉｎｑｕｉｒｙ）は、セキュリティ上の理由から、トークンＩＤに関連付けられたマスタ１３によってのみ受け入れられる。このため、スレイブ５は、マスタ１３の装置アドレスに対するトークンＩＤの割当を含む表を用いる。ＧｅｔＦｉｌｅＬｉｓｔ（トークンＩＤ）方法は、リリースされた文書のリストをもたらし、トークンＩＤに割り当てる。ＧｅｔＦｉｌｅ（トークンＩＤ、ファイルＩＤ）方法は、ファイルＩＤによって指定された文書を戻す。
【００６１】
ピコネットワーク内に新しいスレイブが登場すると、マスタ１３はその新しいスレイブのためにＧｅｔＦｉｌｅＬｉｓｔ方法を呼び出し、ＧｅｔＦｉｌｅＬｉｓｔ方法の結果と装置アドレス及びトークンＩＤとを、そのピコネットワークのすべてのスレイブへ分配する。この新しいスレイブは、ＧｅｔＦｉｌｅＬｉｓｔ方法及びＧｅｔＦｉｌｅ方法を照会としてマスタ１３へ方向付け、マスタ１３を該照会をスレイブ５及び７へ転送する。
【００６２】
新しいスレイブがそのピコネットワークを離れるとき、マスタ１３はすべての残りのスレイブ５及び７に前にリリースされた文書を有する新しいスレイブがもはや利用できないことを通知する。
【図面の簡単な説明】
【００６３】
【図１】トークンを備えた第一のブルートゥース装置とトークン・リード装置を備えた第二のブルートゥース装置とを示す図である。
【図２】２つのブルートゥース装置間のワイヤレス伝送を備えたネットワークの一例としてブルートゥース・ピコネットワークを示す図である。
【図３】マスタを備えたピコネットワークの確立を示す図である。
【図４】マスタを備えたピコネットワークの確立を示す図である。
【図５】マスタを備えたピコネットワークの確立を示す図である。
【図６】それぞれがマスタを備えた２つのピコネットワークの確立を示す図である。
【図７】それぞれがマスタを備えた２つのピコネットワークの確立を示す図である。
【図１】
2005530401.tif 000008
【図２】
2005530401.tif 000009
【図３】
2005530401.tif 000010
【図４】
2005530401.tif 000011
【図５】
2005530401.tif 000012
【図６】
2005530401.tif 000013
【図７】
2005530401.tif 000014
【国際調査報告】
2005530401.tif 000015
2005530401.tif 000016